(57)【要約】【課題】反射物体で反射した反射波の電界強度を表示することなく、精度よくかつ短時間で容易にレーダ装置の電波軸と車両の進行方向軸とを一致させることができる電波軸調整装置および電波軸調整方法を提供する。【解決手段】車両２に搭載されたレーダ装置３の電波軸９と車両２の進行方向軸６とを一致させるための電波軸調整装置１であって、車両２とレーダ装置３との間に設けられ、車両２に対するレーダ装置３の取り付け角度を調整する軸調整機構４と、レーダ装置３に取り付けられて光線を投射する精密角表示灯５と、進行方向軸６上でかつ車両２の前方に設けられ、光線の表示パターンを検知して検知結果を出力する画像処理装置７と、検知結果に基づいて、電波軸９と進行方向軸６とが一致するように、軸調整手段に動作指令を出力する軸調整制御部８とを備えたものである。【選択図】図１
2007132843.tif 000002
【特許請求の範囲】
【請求項１】
車両に搭載されたレーダ装置の電波軸と前記車両の進行方向軸とを一致させるための電波軸調整装置であって、
前記車両と前記レーダ装置との間に設けられ、前記車両に対する前記レーダ装置の取り付け角度を調整する軸調整手段と、
前記レーダ装置に取り付けられて光線を投射する発光手段と、
前記進行方向軸上でかつ前記車両の前方に設けられ、前記光線の表示パターンを検知して検知結果を出力する検知手段と、
前記検知結果に基づいて、前記電波軸と前記進行方向軸とが一致するように、前記軸調整手段に動作指令を出力する制御手段と
を備えたことを特徴とする電波軸調整装置。
【請求項２】
前記発光手段は、前記電波軸に対して角度が異なる複数の灯器ユニットを含み、それぞれの前記灯器ユニットから前記光線を投射する精密角表示灯であることを特徴とする請求項１に記載の電波軸調整装置。
【請求項３】
前記検知手段は、前記発光手段を撮像して解析する画像処理装置であることを特徴とする請求項１または請求項２に記載の電波軸調整装置。
【請求項４】
前記制御手段は、前記検知結果が所定の表示パターンになるまで前記動作指令を出力することを特徴とする請求項１から請求項３までの何れか１項に記載の電波軸調整装置。
【請求項５】
車両に搭載されたレーダ装置の電波軸と前記車両の進行方向軸とを一致させるための電波軸調整装置であって、
前記車両と前記レーダ装置との間に設けられ、前記車両に対する前記レーダ装置の取り付け角度を調整する軸調整手段と、
前記レーダ装置に取り付けられて外部からの光線を反射させる反射手段と、
前記進行方向軸上でかつ前記車両の前方に設けられ、前記光線の表示パターンを検知して検知結果を出力する検知手段と、
前記検知結果に基づいて、前記電波軸と前記進行方向軸とが一致するように、前記軸調整手段に動作指令を出力する制御手段と
を備えたことを特徴とする電波軸調整装置。
【請求項６】
前記反射手段は、それぞれ異なる方向に前記光線を反射させるフォログラムによって構成されていることを特徴とする請求項５に記載の電波軸調整装置。
【請求項７】
前記検知手段は、前記発光手段を撮像して解析する画像処理装置であることを特徴とする請求項５または請求項６に記載の電波軸調整装置。
【請求項８】
前記制御手段は、前記検知結果が所定の表示パターンになるまで前記動作指令を出力することを特徴とする請求項５から請求項７までの何れか１項に記載の電波軸調整装置。
【請求項９】
車両に搭載されたレーダ装置の電波軸と前記車両の進行方向軸とを一致させるための電波軸調整装置であって、
前記車両に対する前記レーダ装置の取り付け角度を調整するステップと、
光線を投射するステップと、
前記進行方向軸上でかつ前記車両の前方において、前記光線の表示パターンを検知して検知結果を出力するステップと、
前記検知結果に基づいて、前記電波軸と前記進行方向軸とが一致するように、動作指令を出力するステップと
を備えたことを特徴とする電波軸調整方法。
【請求項１０】
車両に搭載されたレーダ装置の電波軸と前記車両の進行方向軸とを一致させるための電波軸調整装置であって、
前記車両に対する前記レーダ装置の取り付け角度を調整するステップと、
外部からの光線を反射させるステップと、
前記進行方向軸上でかつ前記車両の前方において、前記光線の表示パターンを検知して検知結果を出力するステップと、
前記検知結果に基づいて、前記電波軸と前記進行方向軸とが一致するように、動作指令を出力するステップと
を備えたことを特徴とする電波軸調整方法。
【発明の詳細な説明】
【技術分野】
【０００１】
この発明は、車両に搭載されたレーダ装置の電波軸と車両の進行方向軸とを一致させるための電波軸調整装置および電波軸調整方法に関する。
【背景技術】
【０００２】
レーダ装置は、車両に取り付けられて周囲に向けて電波を送信し、その送信した電波が測定対象にて反射した反射電波を受信することによって測定対象を検出し、検出した測定対象までの距離、相対速度および方向を算出するものであり、障害物接近警報システム、車間距離制御システム、渋滞追従システム等に利用されている。
【０００３】
しかしながら、レーダ装置を車両に取り付ける際、電波の中心軸である電波軸と車両の進行方向軸との間にずれ角が発生していると、レーダ装置が測定対象を検出してその方向を算出した際に誤差が生じ、隣接車線の車両を先行車両として検出したり、先行車両を隣接車線の車両として検出したりするという問題点があった。
【０００４】
そこで、レーダ装置の電波軸と車両の進行方向軸とを一致させるために、従来の自動車用レーダ装置のアンテナ取付け角度調整方法は、自動車に取付けられたレーダ装置の電磁波の放射方向にその電磁波を反射する反射物体を設置し、そのレーダ装置の受信回路をその送信回路が送信した電磁波の反射波電界強度を表示するモードに設定し、そのレーダ装置のアンテナの取付け角度をその電界強度が最大になるように調節している（例えば、特許文献１参照）。
【０００５】
また、従来の車載レーダの軸調整方法は、少なくとも先行車両との方位角度を検出することができる車載レーダ装置を備えた車両の車載レーダの軸調整方法であって、車両の車軸に対して、車軸上もしくは車軸の少なくとも水平方向の車両のオフセット位置にレーダアンテナを装着し、レーダアンテナの送受信面に、一時的に装着が可能で、かつ光を反射できる反射体を装着し、反射体に点光源から光を投射し、その反射光を受光検知器で検知して所望位置範囲内に反射するようにレーダアンテナの取り付け角度を調整している（例えば、特許文献２参照）。
【０００６】
【特許文献１】特開平７−８１４９０号公報
【特許文献２】特開平１１−１９４１６５号公報
【発明の開示】
【発明が解決しようとする課題】
【０００７】
従来の自動車用レーダ装置のアンテナ取付け角度調整方法では、電波軸の調整を行う際に、送信回路から送信された電磁波が反射物体で反射した反射波の電界強度を表示する必要がある。しかしながら、一般的に、レーダ装置の表示装置は、電界強度を表示するような構成になっていない。
そのため、一般的なレーダ装置における電波軸の調整に用いることができないという問題点があった。
【０００８】
また、従来の車載レーダの軸調整方法では、反射体に投射された光と反射体で反射した反射光との間にはオフセット角が存在するため、両者が同一の軌跡にならない。
そのため、車軸と車載レーダ装置の軸とを調整する際に、車載レーダ装置と点光源との距離およびオフセット角を考慮する必要があり、精度よくかつ短時間で容易に車載レーダ装置の軸と車軸とを一致させることができないという問題点もあった。
【０００９】
この発明は、上記のような問題点を解決することを課題とするものであって、その目的は、反射物体で反射した反射波の電界強度を表示することなく、精度よくかつ短時間で容易にレーダ装置の電波軸と車両の進行方向軸とを一致させることができる電波軸調整装置および電波軸調整方法を提供することにある。
【課題を解決するための手段】
【００１０】
この発明に係る電波軸調整装置および電波軸調整方法は、車両に搭載されたレーダ装置の電波軸と車両の進行方向軸とを一致させるための電波軸調整装置であって、車両とレーダ装置との間に設けられ、車両に対するレーダ装置の取り付け角度を調整する軸調整手段と、レーダ装置に取り付けられて光線を投射する発光手段と、進行方向軸上でかつ車両の前方に設けられ、光線の表示パターンを検知して検知結果を出力する検知手段と、検知結果に基づいて、電波軸と進行方向軸とが一致するように、軸調整手段に動作指令を出力する制御手段とを備えたものである。
【発明の効果】
【００１１】
この発明の電波軸調整装置および電波軸調整方法によれば、検知手段で検知した光線の表示パターンに基づいて、制御手段が軸調整手段に動作指令を出力してレーダ装置の取り付け角度を調整するので、反射物体で反射した反射波の電界強度を表示することなく、精度よくかつ短時間で容易にレーダ装置の電波軸と車両の進行方向軸とを自動的に一致させることができる。
【発明を実施するための最良の形態】
【００１２】
以下、この発明の各実施の形態について図に基づいて説明するが、各図において同一、または相当する部材、部位については、同一符号を付して説明する。
【００１３】
実施の形態１．
図１は、この発明の実施の形態１に係る電波軸調整装置１を示す構成図であり、レーダ装置３の電波軸９と車両２の進行方向軸６とが一致した場合を示している。
図１において、電波軸調整装置１は、車両２に搭載されたレーダ装置３と、車両２とレーダ装置３との間に設けられた軸調整機構４（軸調整手段）と、レーダ装置３に一時的に取り付けられる精密角表示灯５（発光手段）と、車両２の前方で進行方向軸６上に設けられる画像処理装置７（検知手段）と、軸調整機構４および画像処理装置７に接続される軸調整制御部８（制御手段）とを備えている。
【００１４】
レーダ装置３は、車両２の例えばフロントグリル（図示せず）の中央部に軸調整機構４を介して取り付けられている。
レーダ装置３は、車両２の前方に向けて電波を送信し、送信した電波が走行路の前方に存在する障害物や先行車両等の測定対象にて反射した反射電波を受信することによって測定対象を検出し、検出した測定対象までの距離、相対速度および方向を算出する。
【００１５】
軸調整機構４は、車両２とレーダ装置３との間に設けられ、軸調整制御部８からの動作指令に基づいてレーダ装置３の取り付け角度を上下左右に調整するとともに、調整後の位置でレーダ装置３を保持する。
【００１６】
精密角表示灯５は、レーダ装置３の例えばアンテナ面（図示せず）に、かつレーダ装置３の電波軸９に垂直に取り付けられる。
精密角表示灯５は、電波軸９に対して角度が異なる４個の灯器ユニット（図示せず）を含んでおり、それぞれの灯器ユニットから任意の角度幅を持った複数の光線を投射する。各々の灯器ユニットは、例えば左半分の層が白色で右半分の層が黒色になっており、白色と黒色との境界の角度が灯器ユニットごとに設定されている。そのため、視点角度によって、光線の表示パターンが変化するようになっている。
【００１７】
画像処理装置７は、進行方向軸６上で、車両２から前方に距離Ｒの地点にレーダ装置３と同じ高さで設けられる。
画像処理装置７は、精密角表示灯５が投射する光線を撮像して表示パターンを検知し、検知結果を軸調整制御部８に出力する。
【００１８】
軸調整制御部８には、電波軸９と進行方向軸６とが一致した場合に精密角表示灯５が投射する光線の表示パターンが、登録パターンとしてあらかじめ登録されている。
軸調整制御部８は、画像処理装置７から入力された光線の表示パターンに基づいて、電波軸９と進行方向軸６とが一致するように、表示パターンが登録パターンになるまで、レーダ装置３の取り付け角度を調整する動作指令を軸調整機構４に出力する。
【００１９】
次に、精密角表示灯５が投射する光線の表示パターンについて説明する。精密角表示灯５は、上記のように構成されているので、進行方向軸６上に設けられた画像処理装置７から精密角表示灯５が投射する光線を撮像した場合、電波軸９と進行方向軸６との間生じたずれ角によって、表示パターンが変化する。
【００２０】
図２は、図１に示した精密角表示灯５が投射する光線の表示パターンを示す説明図であり、電波軸９と進行方向軸６とが一致した場合を示している。
図２において、レーダ装置３の電波軸９を基準として、電波軸９と進行方向軸６とのずれ角をθａとすると、例えばθａ＜θ１１の場合には、画像処理装置７から見た精密角表示灯５が投射する光線の表示パターンＰ１１は、「●●●●」となる。
【００２１】
また、θ１１≦θａ＜θ１２の場合には、表示パターンＰ１２は、「●●●○」となる。また、θ１２≦θａ＜θ１３の場合には、表示パターンＰ１３は、「●●○○」となる。また、θ１３≦θａ＜θ１４の場合には、表示パターンＰ１４は、「●○○○」となる。また、θ１４≦θａの場合には、表示パターンＰ１５は、「○○○○」となる。
ここで、電波軸９と進行方向軸６とは一致しているので、画像処理装置７から見た精密角表示灯５が投射する光線の表示パターンは、Ｐ１３「●●○○」となる。
【００２２】
また、図３は、この発明の実施の形態１に係る電波軸調整装置１を示す構成図であり、電波軸９と進行方向軸６とが一致しない場合を示している。また、図４は、図３に示した精密角表示灯５が投射する光線の表示パターンを示す説明図である。
図３および図４において、電波軸９と進行方向軸６との間には、θ１３より大きくθ１４よりも小さいずれ角θｓが生じている。
ここで、θ１３≦θｓ＜θ１４であるので、画像処理装置７から見た精密角表示灯５が投射する光線の表示パターンは、Ｐ１４「●○○○」となる。
このとき、軸調整制御部８には、電波軸９と進行方向軸６とが一致した場合に精密角表示灯５が投射する光線の表示パターンＰ１３「●●○○」が、登録パターンとしてあらかじめ登録されている。そのため、軸調整制御部８は、軸調整機構４にレーダ装置３の取り付け角度を調整する動作指令を出力する。
【００２３】
以下に、図３とともに、図５のフローチャートを参照しながら、電波軸調整装置１の動作について説明する。
まず、画像処理装置７は、精密角表示灯５が投射する光線を撮像して、表示パターンを検知する（ステップＳ２１）。
ここで、図３の場合は、電波軸９と進行方向軸６とのずれ角θｓがθ１３≦θｓ＜θ１４であるので、表示パターンは、Ｐ１４「●○○○」となる。
続いて、画像処理装置７は、検知結果である精密角表示灯５が投射する光線の表示パターンを軸調整制御部８に出力する（ステップＳ２２）。
【００２４】
次に、軸調整制御部８は、画像処理装置７から入力された表示パターンが、軸調整制御部８に登録された登録パターンと一致するか否かを判定する（ステップＳ２３）。
ステップＳ２３で、表示パターンが登録パターンと一致する（すなわち、Ｙｅｓ）と判定された場合には、電波軸９と進行方向軸６とが一致しているとして、図５の処理を終了する。
【００２５】
一方、ステップＳ２３において、表示パターンが登録パターンと一致しない（すなわち、Ｎｏ）と判定された場合には、軸調整制御部８は、入力された表示パターンに基づいて、電波軸９が進行方向軸６に対して左右どちらにずれているかを判断する（ステップＳ２４）。
ここで、図３の場合は、表示パターンがＰ１４「●○○○」であり、登録パターンのＰ１３「●●○○」と一致しないため、ステップＳ２３でＮｏと判定され、表示パターンのＰ１４「●○○○」から、進行方向軸６が電波軸９に対して右にずれていることが判断される。
【００２６】
続いて、軸調整制御部８は、レーダ装置３の取り付け角度を右方向に調整するか否かを判定し（ステップＳ２５）、右方向に調整する（すなわち、Ｙｅｓ）と判定された場合には、レーダ装置３が０．１°だけ右方向を向くように取り付け角度を調整する動作指令を軸調整機構４に出力して（ステップＳ２６）、ステップＳ２１に移行する。
【００２７】
一方、ステップＳ２５で右方向に調整しない（すなわち。Ｎｏ）と判定された場合には、レーダ装置３が０．１°だけ左方向を向くように取り付け角度を調整する動作指令を軸調整機構４に出力して（ステップＳ２７）、ステップＳ２１に移行する。
ここで、図３の場合は、進行方向軸６が電波軸９に対して右にずれているため、ステップＳ２５でＹｅｓと判定され、軸調整制御部８から、レーダ装置３を０．１°だけ右方向に調整する動作指令が軸調整機構４に出力される。
【００２８】
以下、画像処理装置７から入力された表示パターンが、軸調整制御部８に登録された登録パターンと一致するまで同様の処理が繰り返される。
ここで、図３の場合は、レーダ装置３が右方向を向くように取り付け角度が調整され、図６に示すように表示パターンがＰ１４「●○○○」からＰ１３「●●○○」に変化する。そのため、精密角表示灯５が投射する光線の表示パターンと軸調整制御部８の登録パターンとが一致し、電波軸９と進行方向軸６とが一致する。
なお、進行方向軸６が電波軸９に対して左にずれている場合であっても、同様にして精密角表示灯５が投射する光線の表示パターンと軸調整制御部８の登録パターンとを一致させることができる。
【００２９】
この発明の実施の形態１に係る電波軸調整装置１および電波軸調整方法によれば、画像処理装置７で検知した光線の表示パターンに基づいて、軸調整制御部８が軸調整機構４に動作指令を出力してレーダ装置３の取り付け角度を調整するので、反射物体で反射した反射波の電界強度を表示することなく、精度よくかつ短時間で容易にレーダ装置３の電波軸９と車両２の進行方向軸６とを自動的に一致させることができる。
【００３０】
なお、上記実施の形態１では、精密角表示灯５が４個の灯器ユニットを含んでいるとして説明したが、勿論これに限定されず、含まれる灯器ユニットは、４個以外であってもよい。
灯器ユニットが多くなると、投射される光線が多くなるため、より高精度にレーダ装置３の電波軸９と車両２の進行方向軸６とを一致させることができる。
また、灯器ユニットが少なくなると、部品点数が削減されるため、コストダウンを図ることができる。
【００３１】
実施の形態２．
図７は、この発明の実施の形態２に係る電波軸調整装置１Ａを示す構成図であり、レーダ装置３の電波軸９と車両２の進行方向軸６とが一致した場合を示している。
図７において、実施の形態１における精密角表示灯５のかわりに、それぞれ異なる方向に外部からの光線を反射させるフォログラム１０（反射手段）が設けられている。ここで、光線とは、例えば太陽光あるいは電灯の光とする。
【００３２】
フォログラム１０は、レーダ装置３の例えばアンテナ面に、かつレーダ装置３の電波軸９に垂直に取り付けられる。
フォログラム１０は、それぞれ異なる４方向に任意の角度幅を持った光線を反射させるように構成されている。そのため、視点角度によって、光線の表示パターンが変化するようになっている。
その他の構成については、実施の形態１と同様であり、その説明は省略する。
【００３３】
次に、フォログラム１０が反射する光線の表示パターンについて説明する。フォログラム１０は、上記のように構成されているので、進行方向軸６上に設けられた画像処理装置７からフォログラム１０が反射する光線を撮像した場合、電波軸９と進行方向軸６との間生じたずれ角によって、表示パターンが変化する。
【００３４】
図８は、図７に示したフォログラム１０が反射する光線の表示パターンを示す説明図であり、電波軸９と進行方向軸６とが一致した場合を示している。
図８において、レーダ装置３の電波軸９を基準として、電波軸９と進行方向軸６とのずれ角をθｂとすると、例えばθｂ＜θ２１の場合には、画像処理装置７から見たフォログラム１０が反射する光線の表示パターンＰ２１は、「■■■■」となる。
【００３５】
また、θ２１≦θｂ＜θ２２の場合には、表示パターンＰ２２は、「■■■□」となる。また、θ２２≦θｂ＜θ２３の場合には、表示パターンＰ２３は、「■■□□」となる。また、θ２３≦θｂ＜θ２４の場合には、表示パターンＰ２４は、「■□□□」となる。また、θ２４≦θｂの場合には、表示パターンＰ２５は、「□□□□」となる。
ここで、電波軸９と進行方向軸６とは一致しているので、画像処理装置７から見たフォログラム１０が反射する光線の表示パターンは、Ｐ２３「■■□□」となる。
【００３６】
また、図９は、この発明の実施の形態２に係る電波軸調整装置１Ａを示す構成図であり、電波軸９と進行方向軸６とが一致しない場合を示している。また、図１０は、図９に示したフォログラム１０が反射する光線の表示パターンを示す説明図である。
図９および図１０において、電波軸９と進行方向軸６との間には、θ２１よりも小さいずれ角θｔが生じている。
ここで、θｔ＜θ２１であるので、画像処理装置７から見たフォログラム１０が反射する光線の表示パターンは、Ｐ２１「■■■■」となる。
このとき、軸調整制御部８には、電波軸９と進行方向軸６とが一致した場合にフォログラム１０が反射する光線の表示パターンＰ２３「■■□□」が、登録パターンとしてあらかじめ登録されている。そのため、軸調整制御部８は、軸調整機構４にレーダ装置３の取り付け角度を調整する動作指令を出力する。
【００３７】
以下に、図９とともに、図１１のフローチャートを参照しながら、電波軸調整装置１Ａの動作について説明する。
まず、画像処理装置７は、フォログラム１０が反射する光線を撮像して、表示パターンを検知する（ステップＳ３１）。
ここで、図９の場合は、電波軸９と進行方向軸６とのずれ角θｔがθｔ＜θ２１であるので、表示パターンは、Ｐ２１「■■■■」となる。
続いて、画像処理装置７は、検知結果であるフォログラム１０が反射する光線の表示パターンを軸調整制御部８に出力する（ステップＳ２２）。
【００３８】
次に、軸調整制御部８は、画像処理装置７から入力された表示パターンが、軸調整制御部８に登録された登録パターンと一致するか否かを判定する（ステップＳ２３）。
ステップＳ２３で、表示パターンが登録パターンと一致する（すなわち、Ｙｅｓ）と判定された場合には、電波軸９と進行方向軸６とが一致しているとして、図１１の処理を終了する。
【００３９】
一方、ステップＳ２３において、表示パターンが登録パターンと一致しない（すなわち、Ｎｏ）と判定された場合には、軸調整制御部８は、入力された表示パターンに基づいて、電波軸９が進行方向軸６に対して左右どちらにずれているかを判断する（ステップＳ２４）。
ここで、図９の場合は、表示パターンがＰ２１「■■■■」であり、登録パターンのＰ２３「■■□□」と一致しないため、ステップＳ２３では、Ｎｏと判定され、表示パターンのＰ２１「■■■■」から、進行方向軸６が電波軸９に対して左にずれていることが判断される。
【００４０】
続いて、軸調整制御部８は、レーダ装置３の取り付け角度を右方向に調整するか否かを判定し（ステップＳ２５）、右方向に調整する（すなわち、Ｙｅｓ）と判定された場合には、レーダ装置３が０．１°だけ右方向を向くように取り付け角度を調整する動作指令を軸調整機構４に出力して（ステップＳ２６）、ステップＳ３１に移行する。
【００４１】
一方、ステップＳ２５で右方向に調整しない（すなわち。Ｎｏ）と判定された場合には、レーダ装置３が０．１°だけ左方向を向くように取り付け角度を調整する動作指令を軸調整機構４に出力して（ステップＳ２７）、ステップＳ３１に移行する。
ここで、図９の場合は、進行方向軸６が電波軸９に対して左にずれているため、ステップＳ２５でＮｏと判定され、軸調整制御部８から、レーダ装置３を０．１°だけ左方向に調整する動作指令が軸調整機構４に出力される。
【００４２】
以下、画像処理装置７から入力された表示パターンが、軸調整制御部８に登録された登録パターンと一致するまで同様の処理が繰り返される。
ここで、図９の場合、レーダ装置３が左方向を向くように取り付け角度が調整され、図１２に示すように表示パターンがＰ２１「■■■■」からＰ２２「■■■□」を経てＰ２３「■■□□」に変化する。そのため、フォログラム１０が反射する光線の表示パターンと軸調整制御部８の登録パターンとが一致し、電波軸９と進行方向軸６とが一致する。
なお、進行方向軸６が電波軸９に対して右にずれている場合であっても、同様にしてフォログラム１０が反射する光線の表示パターンと軸調整制御部８の登録パターンとを一致させることができる。
【００４３】
この発明の実施の形態２に係る電波軸調整装置１Ａおよび電波軸調整方法によれば、実施の形態１と同様の効果を奏することができる。
【００４４】
なお、上記実施の形態２では、フォログラム１０が光線をそれぞれ異なる４方向に反射させるように構成されているとして説明したが、光線を反射させる方向は、４方向に限られるものではない。
光線を反射させる方向が多くなると、反射される光線が多くなるため、より高精度にレーダ装置３の電波軸９と車両２の進行方向軸６とを一致させることができる。
また、光線を反射させる方向が少なくなると、フォログラム１０の加工が容易になるため、コストダウンを図ることができる。
【００４５】
また、上記実施の形態１および２では、レーダ装置３は上から見た場合に左右にずれているとして説明したが、勿論これに限定されず、上下方向にずれ角が生じている場合であっても、同様の方法でレーダ装置３の電波軸９と車両２の進行方向軸６とを一致させることができる。
この場合も、上記実施の形態１および２と同様の効果を奏することができる。
【００４６】
また、上記実施の形態１および２では、表示パターンは、「●●○○」あるいは「■■□□」と示されると説明したが、これに限られるものではなく、例えば、表示パターンは、「★★☆☆」と示されてもよい。
この場合も、上記実施の形態１および２と同様の効果を奏することができる。
【００４７】
なお、上記実施の形態１および２では、レーダ装置３の電波軸９は、車両２の進行方向軸６と自動的に一致されるとして説明したが、これに限られるものではない。
例えば、人間が光線の表示パターンを検知して、軸調整制御部８に検知結果を入力してもよい。
【図面の簡単な説明】
【００４８】
【図１】この発明の実施の形態１に係る電波軸調整装置を示す構成図であり、電波軸と進行方向軸とが一致した場合を示している。
【図２】図１に示した精密角表示灯が投射する光線の表示パターンを示す説明図である。
【図３】この発明の実施の形態１に係る電波軸調整装置を示す構成図であり、電波軸と進行方向軸とが一致しない場合を示している。
【図４】図３に示した精密角表示灯が投射する光線の表示パターンを示す説明図である。
【図５】この発明の実施の形態１に係る電波軸調整装置の動作を示すフローチャートである。
【図６】図３に示した精密角表示灯が投射する光線の表示パターンの変化を示す説明図である。
【図７】この発明の実施の形態２に係る電波軸調整装置を示す構成図であり、電波軸と進行方向軸とが一致した場合を示している。
【図８】図７に示したフォログラムが反射する光線の表示パターンを示す説明図である。
【図９】この発明の実施の形態２に係る電波軸調整装置を示す構成図であり、電波軸と進行方向軸とが一致しない場合を示している。
【図１０】図９に示したフォログラムが反射する光線の表示パターンを示す説明図である。
【図１１】この発明の実施の形態１に係る電波軸調整装置の動作を示すフローチャートである。
【図１２】図９に示したフォログラムが反射する光線の表示パターンの変化を示す説明図である。
【符号の説明】
【００４９】
１、１Ａ  電波軸調整装置、２  車両、３  レーダ装置、４  軸調整機構（軸調整手段）、５  精密角表示灯（発光手段）、６  進行方向軸、７  画像処理装置（検知手段）、８  軸調整制御部（制御手段）、９  電波軸、１０  フォログラム（反射手段）。
【図１】
2007132843.tif 000003
【図２】
2007132843.tif 000004
【図３】
2007132843.tif 000005
【図４】
2007132843.tif 000006
【図５】
2007132843.tif 000007
【図６】
2007132843.tif 000008
【図７】
2007132843.tif 000009
【図８】
2007132843.tif 000010
【図９】
2007132843.tif 000011
【図１０】
2007132843.tif 000012
【図１１】
2007132843.tif 000013
【図１２】
2007132843.tif 000014